(57)【要約】【課題】コネクタケーブルを有する撮像装置において、コネクタケーブルに強い張力がかかっても断線させずにコネクタ抜けを防止をする構造を提供する。【解決手段】本発明のコネクタケーブルの断線及びコネクタ抜け防止構造は、コネクタケーブルの長手方向に対して垂直方向の動きを抑えながら曲げてガイドする抑え部材と、ケーブルを挟み張力を軽減させるゴム部材とを有する。また、前記コネクタケーブルの経路上、前記ゴム部材が前記抑え部材よりもコネクタから遠い位置に配置されており、前記抑え部材によって曲げられたコネクタケーブルの先に前記コネクタが配置されていることを特徴としている。【選択図】図６
2018025586.tif 000002
【特許請求の範囲】
【請求項１】
コネクタケーブルを有する撮像装置において、前記コネクタケーブルを抑え曲げてガイドする抑え部材と、前記コネクタケーブルを挟み張力を軽減させるゴム部材とを有することを特徴とする撮像装置。
【請求項２】
前記抑え部材によって曲げてガイドされた前記コネクタケーブルの先で基板と接続されることを特徴とする請求項１に記載の撮像装置。
【請求項３】
前記コネクタケーブルの経路上、前記基板との接続部側から前記抑え部材、前記ゴム部材の順に配置されていることを特徴とする請求項１または２に記載の撮像装置。
【請求項４】
前記コネクタケーブルを巻き取るためのケーブルガイドを有し、前記基板との接続部が前記ケーブルガイドで巻き取られた前記コネクタケーブルの内側に配置されていることを特徴とする請求項１または２に記載の撮像装置。
【請求項５】
前記撮像装置はそれを操作するためのグリップを有し、前記ケーブルガイドが前記グリップの内部に配置されていることを特徴とする撮像装置。
【請求項６】
前記コネクタケーブルは撮像装置本体と前記グリップとを接続することを特徴とする請求項１乃至４のいずれか１項に記載の撮像装置。
【発明の詳細な説明】
【技術分野】
【０００１】
本発明は撮像装置のコネクタケーブルにおいて、それ自身にロック機構を持たないコネクタケーブルの断線及びコネクタ抜け防止構造に関する。
【背景技術】
【０００２】
撮像装置に接続されるコネクタケーブルは、それ自身が引っ張られたときに断線及びコネクタ抜けを防止することが求められる。従来では板金などの固定部材を用いてケーブルを固定しコネクタ抜けを防止する方法（特許文献１）や、ケーブルを直交以上に曲げて引張方向を変換することで張力を軽減しコネクタ抜けを防止する方法（特許文献２）が開示されている。
【０００３】
特許文献１における構造によると、コネクタの手前でケーブルを板金等にクランプすることでケーブルを固定し、コネクタに直接張力が伝わらないようにすることで、コネクタ抜けを防止している。また、特許文献２における構造によると、コネクタ近傍に設けられたクランプ部品にケーブルを通し、抜き去り方向を変換することで、コネクタ抜けを防止している。
【先行技術文献】
【特許文献】
【０００４】
【特許文献１】実開平７−１８４９０号公報
【特許文献２】特開２０００−２７４５５９号公報
【発明の概要】
【発明が解決しようとする課題】
【０００５】
前述した特許文献１の固定部材を用いた方法では、断線を避けるためにケーブルを固定することはできない。固定してしまうと、コネクタ抜けは防止できるが、固定部分で断線してしまう可能性が高くなる。そのため固定できず、ケーブルが引っ張られた際、固定部材の後に残る張力がコネクタに伝わり抜けてしまう恐れがある。
【０００６】
また、前述した特許文献２のケーブルを曲げて抜き去り方向を変換する方法では、変換箇所に強い張力がかかってしまうため断線の恐れがある。さらに、クランプ部品の穴にケーブルを通してガイドしているだけであるため、ケーブルの長手方向に対して垂直方向の動きを抑制できておらず、コネクタとケーブルの接続部分に力がかかってしまい、それによる断線やコネクタ抜けも懸念される。
【０００７】
そこで本発明では、コネクタケーブルに強い引張張力が発生しても、断線させずにコネクタ抜けを防止することを目的とする。
【課題を解決するための手段】
【０００８】
本発明のコネクタケーブルの断線及びコネクタ抜け防止構造は、コネクタケーブルの長手方向に対して垂直方向の動きを抑え曲げてガイドする抑え部材と、コネクタケーブルを挟み張力を軽減させるゴム部材とを有することを特徴としている。
【０００９】
また、本発明の他の特徴とするところは、コネクタケーブルの経路上、前記ゴム部材が前記抑え部材よりもコネクタから遠い位置に配置されていることを特徴としている。また、本発明のその他の特徴とするところは、前記抑え部材によって曲げられたコネクタケーブルの先に前記コネクタが配置されていることを特徴としている。
【発明の効果】
【００１０】
以上説明したように、本発明によれば、コネクタケーブルに強い引張張力が発生した場合においても、断線させることなく、且つコネクタ抜け防止ができる。
【図面の簡単な説明】
【００１１】
【図１】本発明の実施形態に係る撮像装置全体の斜視図である。
【図２】本発明の実施形態に係るコネクタケーブルを有するグリップの斜視図である。
【図３】本発明の実施形態におけるグリップ蓋開時の正面図である。
【図４】本発明の実施形態におけるケーブル巻き取り部品の拡大斜視図である。
【図５】本発明の実施形態におけるケーブル巻き取り部品取り外し時のグリップの正面図である。
【図６】本発明の実施形態におけるコネクタケーブルの断線・抜け防止構造の拡大斜視図である。
【発明を実施するための形態】
【００１２】
以下、図を参照して本発明を実施するための最良の形態を説明する。
【００１３】
（撮像装置概略）
本発明の実施形態において、撮像装置の一例としてビデオカメラに応用した場合の例で説明する。図１は本実施形態に係る撮像装置の斜視図である。撮像装置本体１０１とグリップ１０２がコネクタケーブル１０３を介して接続される構成である。前記グリップ１０２にはズームキー１０２ａや十字キー１０２ｂなど複数のキーが設けられている。前記ズームキー１０２ａを操作することで、前記撮像装置本体１０１に取り付けられるレンズのズーム操作ができる。また、前記十字キー１０２ｂを操作することで、前記撮像装置本体１０１のメニュー操作ができる。これらのキーは電気的に前記コネクタケーブル１０３に接続されている。
【００１４】
そのため、前記撮像装置本体１０１と前記グリップ１０２を前記コネクタケーブル１０３で接続することで、前記グリップ１０２の各種キーを使い前記撮像装置本体１０１を操作できるようになっている。この場合、前記コネクタケーブル１０３は外に露出している。そのため、誤って強い張力がかかってしまう可能性がある。
【００１５】
（グリップ概略）
図２は、前記グリップ１０２の斜視図である。前記コネクタケーブル１０３は前記グリップ１０２の内部へと収納され、前記グリップ１０２の内部にあるコネクタに接続されている。
【００１６】
また、前記コネクタケーブル１０３は露出部長さが変更可能であり、長さ調節をする際は、ねじ２０１によって前記グリップ１０２と接続されているグリップ蓋２０２を取り外し、露出していない部分は前記グリップ１０２の内部に収納している。
【００１７】
（グリップ内部構造）
図３は、図２の前記グリップ１０２において前記ねじ２０１と前記グリップ蓋２０２を取り外した場合の前記グリップ１０２の正面図である。前記グリップ１０２内部には、ケーブルガイド３０１がネジで前記グリップ１０２に固定されており、前記ケーブルガイド３０１の外周に前記コネクタケーブル１０３を巻くことで、露出部長さを調節できる。
【００１８】
図４は、前記ケーブルガイド３０１の拡大斜視図である。図４（ａ）か前記ケーブルガイド３０１単体の図で有り、図４（ｂ）は前記ケーブルガイド３０１に前記コネクタケーブル１０３を巻いた図である。前記ケーブルガイド３０１は巻き取り部３０１ａと傘部３０１ｂで構成されている。前記巻き取り部３０１ａに前記コネクタケーブル１０３を巻き、前記傘部３０１ｂによって前記コネクタケーブル１０３が浮き上がるのを防ぐことができ、前記コネクタケーブル１０３が解けてしまうことを防止している。
【００１９】
図５は、図３において前記ケーブルガイド３０１を取り外した場合の前記グリップ１０２の正面図である。前記コネクタケーブル１０３は、導線部１０３ａとそれを覆う被服部１０３ｂ、一方の端にジャック部１０３ｃ、他方の端にケーブル側コネクタ１０３ｄによって構成されている。図５に示す基板側コネクタ５０１は前記グリップ１０２内部に配置されたプリント基板に実装されたコネクタである。前記コネクタケーブル１０３は前記ケーブルガイド３０１の前記巻き取り部３０１ａで巻き取った後、前記ケーブル側コネクタ１０３ｄが前記基板側コネクタ５０１に接続される。
【００２０】
前記基板側コネクタ５０１は、巻き取られた前記コネクタケーブル１０３の内側に配置されていることで、空いている隙間を有効に使うことができ、前記グリップ１０２の小型化が可能となっている。
【００２１】
（断線・抜け防止構造）
図６は、前記基板側コネクタ５０１付近の拡大斜視図である。前記コネクタケーブル１０３は、ゴム部材６０１と抑え部材６０２を通って前記基板側コネクタ５０１に接続される。前記ゴム部材６０１は高い柔軟性と摩擦力を有しており、前記コネクタケーブル１０３をクランプすることで、前記コネクタケーブル１０３にかかる張力を吸収し軽減することができる。前記抑え部材６０２は金属部品であり、前記コネクタケーブル１０３の外形と略同一の形状と、前記コネクタケーブル１０３を固定するためのビス止め形状を有している。
【００２２】
前記抑え部材６０２は前記コネクタケーブル１０３を抑えながら、ねじ６０３で固定される。それにより、前記コネクタケーブル１０３は長手方向には自由に動くことができるが、長手方向に対して垂直方向の動きが抑制されるため、前記導線部１０３ａと前記ケーブル側コネクタ１０３ｄの接続部１０３ｅにかかる力を抑えることができ前記接続部１０３ｅでの断線を防止できる。また、前記抑え部材６０２によって前記コネクタケーブル１０３を前記基板側コネクタ５０１へ曲げてガイドすることで、張力方向を変換でき、コネクタ抜けを防止できる。
【００２３】
（張力方向の変換）
ここで張力方向の変換について説明する。図６において、前記ケーブル側コネクタ１０３ｄは抜き去り方向Ａの張力によって抜ける。しかし、前記コネクタケーブル１０３は前記抑え部材６０２によってＢの方向に曲げられている。これにより、前記コネクタケーブル１０３が引っ張られたとき、曲げ部１０３ｆにおいて方向Ｂの張力がかかり、前記ケーブル側コネクタ１０３ｄの抜き去り方向Ａの張力を小さくできる。
【００２４】
（ケーブル引張時の効果）
さらに、前記ゴム部材６０１と前記抑え部材６０２は、前記コネクタケーブル１０３の経路上、前記基板側コネクタ５０１側から前記抑え部材６０２、前記ゴム部材６０１の順に配置されている。これにより、前記コネクタケーブル１０３が引っ張られたとき、まず前記ゴム部材６０１により張力を軽減されることになる。その後前記抑え部材６０２によって前記コネクタケーブル１０３の長手方向に対して垂直方向の動きを抑制し前記接続部１０３ｅの断線を防ぎながら、前記コネクタケーブル１０３を前記基板側コネクタ５０１へと曲げてガイドすることで張力方向を変換しコネクタ抜けも防止している。
【００２５】
前記ゴム部材６０１がなくても、前記抑え部材６０２で前記コネクタケーブル１０３の長手方向に対して垂直方向の動きを抑制しながら、張力方向も変換しているため、前記接続部１０３ｅの断線も防ぎながらコネクタ抜けを防止できている。しかし、前記抑え部材６０２だけでは、前記コネクタケーブル１０３は長手方向には動いてしまうため、前記接続部１０３ｅには強い力がかからないが、前記曲げ部１０３ｆに張力が集中してしまい断線の可能性がある。
【００２６】
そこで、前記コネクタケーブル１０３の経路上、前記基板側コネクタ５０１側から前記抑え部材６０２、前記ゴム部材６０１の順に配置されていることで、前記コネクタケーブル１０３の前記曲げ部１０３ｆに張力がかかる前に前記ゴム部材６０１で張力を軽減することができ、これにより前記コネクタケーブル１０３の前記曲げ部１０３ｆには強い張力がかからず、この部分での断線も防ぐことができる。
【００２７】
以上により、前記ゴム部材６０１と前記抑え部材６０２を組み合わせ、前述した配置及び構成をとることにより、前記コネクタケーブル１０３を断線させずに、前記基板側コネクタ５０１から前記ケーブル側コネクタ１０３ｄが抜けることを防止できる。
【００２８】
（まとめ）
以上、本発明をその好適な実施形態に基づいて詳述してきたが、本発明はこれら特定の実施形態に限られるものではなく、この発明の要旨を逸脱しない範囲の様々な形態も本発明に含まれる。また、材質や形状においても、本発明の要旨を逸脱しない範囲において適宜変更可能である。
【符号の説明】
【００２９】
１０１…撮像装置本体
１０２…グリップ
１０２ａ…ズームキー
１０２ｂ…十字キー
１０３…コネクタケーブル
１０３ａ…導線部
１０３ｂ…被服部
１０３ｃ…ジャック部
１０３ｄ…ケーブル側コネクタ
１０３ｅ…接続部
１０３ｆ…曲げ部
２０１…ねじ
２０２…グリップ蓋
３０１…ケーブルガイド
３０１ａ…巻き取り部
３０１ｂ…傘部
５０１…基板側コネクタ
６０１…ゴム部材
６０２…抑え部材
６０３…ねじ
【図１】
2018025586.tif 000003
【図２】
2018025586.tif 000004
【図３】
2018025586.tif 000005
【図４】
2018025586.tif 000006
【図５】
2018025586.tif 000007
【図６】
2018025586.tif 000008